(57)【要約】      （修正有）【課題】微光及び全光発射を有する知能及び省エネＬＥＤ灯具を提供する。【解決手段】ランプベース１１を含み、ランプベースの底端にランプヘッド１１１を有し、ＬＥＤ基板１４がランプベースの内部に設けられ、上端面に複数のＬＥＤ１４１が設けられ、ランプベースの内部に赤外線感知装置１３が設けられ、頂端に赤外線感知ヘッド１３１が設けられ、ランプベースの頂端にランプキャップ１５が結合され、ランプキャップの外端面に赤外線感知ヘッドに対応する凸キャップ１５２が設けられる。外部環境の光が十分ある場合にはＬＥＤが発光せず、外部環境の光が不足し、且つ赤外線感知ヘッドが物体の移動を感知していない場合にはＬＥＤが所定の光を発射し、外部環境の光が不足し、且つ赤外線ヘッドが物体の移動を感知した場合にはＬＥＤが全光を発射する。【選択図】図１
2012252817.tif 000002
【特許請求の範囲】
【請求項１】
頂端に開口を有し、底端にランプヘッドを有し、前記ランプヘッドの上方に位置する駆動器が内蔵されたランプベースと、
前記ランプベースの内部に支持可能に取り付けられ、前記駆動器に電気的に接続された制御回路を有する制御基板と、
前記ランプベースの内部に支持可能に設けられ、前記制御回路に電気的に接続され、前記ランプベースの開口に対向する上端面及び前記ランプヘッドに対向する下端面を含み、前記上端面に複数のＬＥＤが設けられ、前記上端面及び下端面を貫通した貫通孔をさらに含むＬＥＤ基板と、
前記ランプベースの内部に設けられ、前記制御回路に電気的に接続され、頂端に赤外線感知ヘッドが設けられ、前記赤外線感知ヘッドが前記ＬＥＤ基板の貫通孔を通し、前記ＬＥＤ基板の上端面に突出しており、光を感知した場合にオフとなり、環境光がない場合に微光作動し、赤外線が物体の移動を感知した場合に１００％の全光を起動する感知回路を含む赤外線感知装置と、
前記ランプベースの頂端に結合され、前記開口を封鎖させ、外端面に感知全光に対応する知能凸キャップが設けられたランプキャップと、
を備え、
外部環境の光が十分ある場合には前記複数のＬＥＤが発光せず、外部環境の光が不足し、且つ前記赤外線感知ヘッドが物体の移動を感知していない場合には前記駆動器が前記複数のＬＥＤを所定の割合で発光させるように駆動し、外部環境の光が不足し、且つ前記赤外線ヘッドが物体の移動を感知した場合には前記複数のＬＥＤが全光を発射することを微光及び全光発射を有する知能及び省エネのＬＥＤ灯具。
【請求項２】
前記ランプキャップの外端面にＬＥＤからの光を強めるためのＬＥＤに対応する複数の凸レンズがさらに設けられ、前記ランプベースの側壁に電池室が設けられ、前記電池室に充電電池が収容されることを特徴とする請求項１に記載の微光及び全光発射を有する知能及び省エネのＬＥＤ灯具。
【請求項３】
前記ランプベースに設けられ、赤外線感知装置の１００％全光回路に電気的に接続された音波送信器と、音波受信器と、ＬＥＤ表示ライトとをさらに含み、ＬＥＤが１００％の全光を発射した場合には、前記音波受信器が前記音波送信器からの信号を受信し、前記ＬＥＤ表示ライトが点滅することを特徴とする請求項２に記載の微光及び全光発射を有する知能及び省エネのＬＥＤ灯具。
【請求項４】
撮像ヘッドと前記撮像ヘッドに電気的に接続された表示器とをさらに含み、前記撮像ヘッドは、前記ランプベース上に設けられ、外部環境の画像を撮影することを特徴とする請求項２に記載の微光及び全光発射を有する知能及び省エネのＬＥＤ灯具。
【発明の詳細な説明】
【技術分野】
【０００１】
本発明は、極めて省エネ型のＬＥＤ灯具に関し、特に、微光及び全光発射を有する知能及び省エネのＬＥＤ灯具に関するものである。
【背景技術】
【０００２】
現在、世界中で地球温暖化の課題としてエネルギーの節約及び炭素の低減に取り組んでおり、各国の科学者たちは、省エネの効果を図るために、省エネの灯具を開発している。通常、家庭用の灯具回路には省エネのために赤外線センサーが設けられるものがあるが、微光及び赤外線センサーを有する灯具回路について、入居する前に予め装着しないと、赤外線センサーの回路を壁表面に装着せざるを得ず、居住環境に悪影響を与えることになる。一方、装着する赤外線センサーの回路が居住環境に悪影響を与えないようにするためには、電気工事、コンクリート工事、ペンキ工事又は装飾工事が必要とされるため、省エネの効果に比べて極めて経済的ではない。また、通常、省エネ灯具は、停電時に照明として機能することができないため、一般の家庭には停電時の照明として緊急照明システムを配置する必要がある。
【発明の概要】
【発明が解決しようとする課題】
【０００３】
そこで、本発明は、上述した問題を解決するために、微光及び全光発射を有する知能及び省エネのＬＥＤ灯具を提供する。
【課題を解決するための手段】
【０００４】
上述した目的を達成するために、本発明に係る微光及び全光発射を有する知能及び省エネのＬＥＤ灯具は、頂端に開口を有し、底端にランプヘッドを有し、前記ランプヘッドの上方に位置する駆動器が内蔵されたランプベースと、前記ランプベースの内部に支持可能に取り付けられ、前記駆動器に電気的に接続された制御回路を有する制御基板と、前記ランプベースの内部に支持可能に設けられ、前記制御回路に電気的に接続され、前記ランプベースの開口に対向する上端面及び前記ランプヘッドに対向する下端面を含み、前記上端面に複数のＬＥＤが設けられ、前記上端面及び下端面を貫通した貫通孔をさらに含むＬＥＤ基板と、前記ランプベースの内部に設けられ、前記制御回路に電気的に接続され、頂端に赤外線感知ヘッドが設けられ、前記赤外線感知ヘッドが前記ＬＥＤ基板の貫通孔を通し、前記ＬＥＤ基板の上端面に突出しており、光を感知した場合にオフとなり、環境光がない場合に微光作動し、赤外線が物体の移動を感知した場合に１００％の全光を起動する感知回路を含む赤外線感知装置と、前記ランプベースの頂端に結合され、前記開口を封鎖させ、外端面に赤外線感知装置に対応する凸キャップが設けられたランプキャップと、を備え、外部環境の光が十分ある場合には前記複数のＬＥＤが発光せず、外部環境の光が不足し、且つ前記赤外線感知ヘッドが物体の移動を感知していない場合には前記駆動器が前記複数のＬＥＤを所定の割合で発光させるように駆動し、外部環境の光が不足し、且つ前記赤外線ヘッドが物体の移動を感知した場合には前記複数のＬＥＤが全光を発射することを微光及び全光発射を有する知能及び省エネのＬＥＤ灯具を提供する。
【発明の効果】
【０００５】
本発明に係る微光及び全光発射を有する知能及び省エネのＬＥＤ灯具によれば、既存の室内灯具のランプヘッドと組み合わせることにより電源を供給することが可能であるため、交換が容易にできる効果を有する。また、ＬＥＤ灯具は、昼間ではオフとなり、夜間では光を所定の割合（例えば３０％）で発光し、通行人の通行時に１００％の光を発射するため、省エネ及び安全性の向上を図ることことができる。また、ＬＥＤ灯具は、懐中電灯として使用可能であるため、避難時に利用することができる。
【図面の簡単な説明】
【０００６】
【図１】本発明に係る第１の実施例のＬＥＤ灯具の素子分解図を示す。
【図２】図１のＬＥＤ灯具の立体図を示す。
【図３】図２のＬＥＤ灯具の断面図を示す。
【図４】本発明に係る第２の実施例のＬＥＤ灯具の分解図を示す。
【図５】図４のＬＥＤ灯具の立体図を示す。
【図６】図５のＬＥＤ灯具の断面図を示す。
【図７】本発明に係る他の実施例のランプキャップの模式図を示す。
【図８】図５のＬＥＤ灯具の使用状態の模式図を示す。
【図９】図５のＬＥＤ灯具の他の使用状態の模式図を示す。
【図１０】本発明に係るＬＥＤ灯具に音波送信器が含まれる模式図を示す。
【図１１】本発明に係るＬＥＤ灯具に撮像ヘッドが含まれる模式図を示す。
【図１２】本発明を蛍光灯管に適用した模式図を示す。
【図１３】本発明を横投射型ＬＥＤ灯管に適用した模式図を示す。
【図１４】本発明を歩道灯に適用した模式図を示す。
【図１５】本発明を公園灯に適用した模式図を示す。
【発明を実施するための形態】
【０００７】
図１乃至図３に示すように、本発明に係る第１の実施例の微光及び全光発射を有する知能及び省エネのＬＥＤ灯具１は、ランプベース１１と、制御基板１２と、ＬＥＤ基板１４と、赤外線感知装置１３と、ランプキャップ１５とを含む。ランプベース１１は、手で容易に握るために容器型体であるのが好ましい。アンプベース１１は、頂端に開口１１０を有し、底端にランプヘッド１１１を有する。ランプベース１１にはランプヘッドの上方に位置する駆動器１１３が内蔵される。ランプベース１１の頂端の内壁には階段部１１４が環設されている。
【０００８】
制御基板１２は、ランプベース１１の内部に支持可能に取り付けられ、駆動器１１３に電気的に接続される。また、制御基板１２の上には、駆動着１１３の駆動を制御するための制御回路が設けられている。
【０００９】
ＬＥＤ基板１４は、段階部１１４によってランプベース１１の内部に支持可能に設けられ、制御基板１２の制御回路に電気的に接続され、ランプベース１１の開口１１０に対向する上端面１４３とランプヘッド１１１に対向する下端面１４４とを含み、上端面１４３に複数の発光ダイオード（ＬＥＤ）１４１が設けられている。ＬＥＤ基板１４は、上端面１４３及び下端面１４４を貫通した貫通孔１４２をさらに含む。この実施例において、ＬＥＤ１４１は、貫通孔１４２を中心として貫通孔１４２の周囲に分布される。
【００１０】
赤外線感知装置１３は、ランプベース１１の内部に設けられ、制御回路に電気的に接続される。この実施例において、赤外線感知装置１３は、ＬＥＤ基板１４の下端面１４４に結合され、頂端に赤外線感知ヘッド１３１が設けられ、赤外線感知ヘッド１３１は、ＬＥＤ基板１４の貫通孔１４２を貫通し、ＬＥＤ基板１４の上端面１４３に突出する。赤外線感知装置１３は、光を感知した場合にオフとなり、環境光がない場合に微光作動し、赤外線が物体の移動を感知した場合に１００％の全光を起動する感知回路を含み、即ち、赤外線感知装置１３は、外部環境の明度を感知し、光信号を電気信号に変換し、外部環境の物体の移動を感知することができる。
【００１１】
ランプキャップ１５は、ランプベース１１の頂端に結合され、開口１１０を封鎖させ、外端面に赤外線感知装置１３に対応する円形凸キャップ１５２が設けられている。この実施例において、凸キャップ１５２は、ランプキャップ１５の中央に設けられ、ランプキャップ１５に一体形成される。しかしながら、凸キャップ１５２は、ランプキャップ１５の中央に制限されず、ランプキャップ１５に分離可能に結合されてもよい。
【００１２】
図４乃至図６は、本発明に係る第２の実施例のＬＥＤ灯具１を示す。この実施例のＬＥＤ灯具１は、同様に、ランプベース１１と、制御基板１２と、ＬＥＤ基板１４と、赤外線感知装置１３と、ランプキャップ１５とを含む。ランプベース１１は、長筒形であり、側壁に充電電池１６を収容するための電池室１１２が設けられている。制御基板１２には、電池１６に電気的に接続された電池変換スイッチ１２１と、電池室１１２を被覆するための電池蓋１７とが設けられている。ランプベース１１の底端内部には、制御基板１２を装着固定するための複数の固定柱１１５が設けられている。また、ランプキャップ１５の外端面には、ＬＥＤ１４１に対応する複数の凸レンズ１５１が設けられている。それらの凸レンズ１５１は、凸キャップ１５２を中心として凸キャップ１５２の周囲に分布される。しかしながら、凸レンズ１５１は、凸キャップ１５２の周囲に制限されず、図７に示すように、凸キャップ１５２及び対応する赤外線感知装置１３は、中央から離れる一側に設けられ、凸レンズ１５１及び対応するＬＥＤ１４１は、中央から離れる他側に設けられてもよい。さらに、各凸レンズ１５１は、光又はフォーカス調整可能な凸レンズでり、凸レンズ１５１の下端面は、光が均一になるように霧状処理又は霧面紙の貼り付けにより形成される。
【００１３】
図８に示すように、本発明に係るＬＥＤ灯具１は、実際に実施する際に、ランプベース１１のランプヘッド１１１をソケットに挿設することにより給電を受ける。ＬＥＤ灯具１に給電された後、制御基板１２の制御回路は、外部環境の光が充分であるかどうかに基づいてＬＥＤ１４１の発光の要否を制御する。即ち、赤外線感知装置１３は、外部環境の光が充分（例えば昼間）であると感知した場合、制御基板１２における制御回路の制御によりＬＥＤ１４１の電力をオフさせる。外部環境の光が不足（例えば夜間）し、且つ赤外線感知ヘッド１３１が人の感知範囲内における移動を感知していない場合、駆動器１１３は、ＬＥＤ（ＳＭＤ）１４１を所定の割合（例えば１０％〜５０％）で発光させるように駆動する。一方、外部環境の光が不足（例えば夜間）し、且つ赤外線感知ヘッド１３１が人の感知範囲内における移動を感知した場合、駆動器１１３は、ＬＥＤ１４１を１００％全光発光させるように駆動する。ＬＥＤ１４１からの光は、ランプキャップ１５の凸レンズ１５１により照明の効果を高めることができる。また、人が赤外線感知ヘッド１３１の感知範囲から離れると、ＬＥＤ１４１は、１０％〜５０％の可視微光に自動回復され、省エネ及び安全性の効果を図ることができる。さらに、ＬＥＤ灯具１が室内電源に投入されると、電池１６は充電され、一方、室内電源がオフされると、電池１６は、上述した照明機能を行うために、ＬＥＤ１４１の発光に必要とする電源を供給することができ、これにより、ユーザは、その場で好ましい照明を得ることができる。さらに、電池変換スイッチ１２１により電池１６の電源をオフさせることができる。
【００１４】
図９に示すように、停電時に照明設備を必要とする場合は、本発明に係るＬＥＤ灯具１をソケットから取り外して懐中電灯として使用可能である。
【００１５】
本発明に係るＬＥＤ灯具１によれば、下記の利点を有する。
１、 ＬＥＤ灯具１のランプヘッド１１１を一般の灯具ソケットと組み合わせることができ、配線工事により赤外線感知装置を取り付ける必要なく、また、美観のために電気工事、ペンキ工事又はコンクリート工事を装飾する必要もなくなるため、手間を節約することができる。
２、 ＬＥＤ灯具１は、省エネ効果の最大化のために、赤外線感知装置１３を介して外部からの光が充分であるかどうかを判定することにより、可視微光及び高可視光を生成することができる。従って、本発明に係るＬＥＤ灯具１は、建物の門の内外ライト、車庫の外部ライト、車庫ライト、後門の外部ライト、廊下ライトとして構成され、光の差異を利用して警戒又は威嚇の安全機能を図り、人に対する安全性を高めることができる。
３、 停電時には、電池１６により給電することができ、緊急事態においてもＬＥＤ灯具１の所在位置を容易に識別することができるため、安全性を向上することができる。
【００１６】
本発明に係るＬＥＤ灯具１は、複数の実施例を有してもよい。図１０は、本発明に係るＬＥＤ灯具１は、音波送信器１８１と、音波受信器１８２と、ＬＥＤ表示器１８３とをさらに備え、音波送信器１８１は、ランプベース１１上に設けられ、赤外線感知装置１３の１００％全光回路に電気的に接続され、音波受信器１８２及びＬＥＤ表示器１８３は、音波送信器１８１に対応する適当な位置（例えばＬＥＤ灯具１を玄関ライトとして玄関に取り付ける）に取り付けられる様子を示す。これにより、ＬＥＤ１４１が１００％の全光を発射する場合には、音波受信器１８２が音波送信器１８１からの信号を受信し、ＬＥＤ表示器１８３が警戒ライトとして点滅することにより、門外に誰かがいるかを表示することができる。図１１は、本発明に係るＬＥＤ灯具１は、撮像ヘッド１９１と、撮像ヘッド１９１に電気的に接続された表示器１９２とを備え、撮像ヘッド１９１は、ランプベース１１上に設けられ、警戒として外部環境の画像を撮影するとともに表示器１９２に表示させる様子を示す。また、図１２は、本発明の技術特徴を蛍光灯型のＬＥＤ灯管に適用した様子を示し、図１３は、本発明の技術特徴を横投射型のＬＥＤ灯具に適用した様子を示し、図１４及び図１５は、本発明の技術特徴を歩道ライト又は公園ライトに適用した様子をそれぞれ示す。
【００１７】
以上のように、本発明では、頂端に開口を有し、底端にランプヘッドを有し、前記ランプヘッドの上方に位置する駆動器が内蔵されたランプベースと、前記ランプベースの内部に支持可能に取り付けられ、前記駆動器に電気的に接続された制御回路を有する制御基板と、前記ランプベースの内部に支持可能に設けられ、前記制御回路に電気的に接続され、前記ランプベースの開口に対向する上端面及び前記ランプヘッドに対向する下端面を含み、前記上端面に複数のＬＥＤが設けられ、前記上端面及び下端面を貫通した貫通孔をさらに含むＬＥＤ基板と、前記ランプベースの内部に設けられ、前記制御回路に電気的に接続され、頂端に赤外線感知ヘッドが設けられ、前記赤外線感知ヘッドが前記ＬＥＤ基板の貫通孔を通し、前記ＬＥＤ基板の上端面に突出しており、光を感知した場合にオフとなり、環境光がない場合に微光作動し、赤外線が物体の移動を感知した場合に１００％の全光を起動する感知回路を含む赤外線感知装置と、前記ランプベースの頂端に結合され、前記開口を封鎖させ、外端面に感知全光に対応する知能凸キャップが設けられたランプキャップと、を備え、外部環境の光が十分ある場合には前記複数のＬＥＤが発光せず、外部環境の光が不足し、且つ前記赤外線感知ヘッドが物体の移動を感知していない場合には前記駆動器が前記複数のＬＥＤを所定の割合で発光させるように駆動し、外部環境の光が不足し、且つ前記赤外線ヘッドが物体の移動を感知した場合には前記複数のＬＥＤが全光を発射することを微光及び全光発射を有する知能及び省エネのＬＥＤ灯具とするものである。
【００１８】
また、前記ランプキャップの外端面にＬＥＤからの光を強めるためのＬＥＤに対応する複数の凸レンズがさらに設けられ、前記ランプベースの側壁に電池室が設けられ、前記電池室に充電電池が収容されるものとする。
【００１９】
また、前記ランプベースに設けられ、赤外線感知装置の１００％全光回路に電気的に接続された音波送信器と、音波受信器と、ＬＥＤ表示ライトとをさらに含み、ＬＥＤが１００％の全光を発射した場合には、前記音波受信器が前記音波送信器からの信号を受信し、前記ＬＥＤ表示ライトが点滅するものとする。
【００２０】
また、撮像ヘッドと前記撮像ヘッドに電気的に接続された表示器とをさらに含み、前記撮像ヘッドは、前記ランプベース上に設けられ、外部環境の画像を撮影するものとする。
【産業上の利用可能性】
【００２１】
本発明に係る微光及び全光発射を有する知能及び省エネのＬＥＤ灯具によれば、既存の室内灯具のランプヘッドと組み合わせることにより電源を供給することが可能であるため、交換が容易にできる効果を有する。また、ＬＥＤ灯具は、昼間ではオフとなり、夜間では光を所定の割合（例えば３０％）で発光し、通行人の通行時に１００％の光を発射するため、省エネ及び安全性の向上を図ることことができる。また、ＬＥＤ灯具は、懐中電灯として使用可能であるため、避難時に利用することができる。
【符号の説明】
【００２２】
１  灯具
１１  ランプベース
１１１  ランプヘッド
１１２  電池室
１１３  駆動器
１１４  段階部
１１５  固定柱
１２  制御基板
１２１  電池変換スイッチ
１３  赤外線感知装置
１３１  赤外線感知ヘッド
１４  ＬＥＤ基板
１４１  ＬＥＤ
１４２  貫通孔
１５  ランプキャップ
１５１  凸レンズ
１５２  凸キャップ
１６  電池
１７  電池蓋
１８１  音波送信器
１８２  音波受信器
１８３  ＬＥＤ表示器
１９１  撮像ヘッド
１９２  表示器
【図１】
2012252817.tif 000003
【図２】
2012252817.tif 000004
【図３】
2012252817.tif 000005
【図４】
2012252817.tif 000006
【図５】
2012252817.tif 000007
【図６】
2012252817.tif 000008
【図７】
2012252817.tif 000009
【図８】
2012252817.tif 000010
【図９】
2012252817.tif 000011
【図１０】
2012252817.tif 000012
【図１１】
2012252817.tif 000013
【図１２】
2012252817.tif 000014
【図１３】
2012252817.tif 000015
【図１４】
2012252817.tif 000016
【図１５】
2012252817.tif 000017